(57)【要約】本発明は通信ネットワーク（ＣＮ）を介した通信端末（ＣＴ）の通信接続を確立する方法に関し、ＣＮは第１及び第２サブネットワーク（ＳＮ１、ＳＮ２）を含むサブネットワーク（ＳＮ）を有し、ＣＴの識別の為に第１識別エンティティ（ＩＥ１）をＳＮ１に配置し、第２識別エンティティ（ＩＥ２）をＳＮ２に配置し、サブネットワーク識別子（ＳＮＩ）をＣＮの各ＳＮに割り当て、管理エンティティ（ＭＥ）をＣＮに配置し、２つのＳＮの１つへのＣＴの割当を管理し、ＳＮ１のＩＥ１によりＣＴの識別を受信し、識別はＣＴを識別し、ＣＴの識別に基づきＩＥ１によりＣＴを識別し、ＣＴへのＳＮＩの割当に基づきＭＥによりＣＴにサブネットワークを割り当て、ＣＴの識別に割り当てられたＣＴＩがＳＮ１のＳＮＩと一致する場合にＳＮ１を介して、又は送信された識別に割り当てられたＳＮＩとＳＮ１のＳＮＩとが異なる場合にＳＮ２を介して、ＣＴの通信接続を確立する。【選択図】  図３
2019500819.tif 000002
【特許請求の範囲】
【請求項１】
通信ネットワーク（３０３）を介して通信端末（３０１）の通信接続を確立する方法（４００）であって、
前記通信ネットワーク（３０３）は、第１のサブネットワーク（３０７）及び第２のサブネットワーク（３１１）を有する複数のサブネットワーク（３０７、３１１、３１５）を有し、
前記通信デバイス（３０１）を識別するために第１の識別エンティティ（３０９）が前記第１のサブネットワーク（３０７）に配置されるとともに第２の識別エンティティ（３１３）が前記第２のサブネットワーク（３１１）に配置され、
サブネットワーク識別子が前記通信ネットワーク（３０３）の各サブネットワーク（３０７、３１１）に割り当てられ、
管理エンティティ（３１９）が前記通信ネットワーク（３０３）に配置され、前記２つのサブネットワーク（３０７、３１１）の１つへの前記通信端末（３０１）の割当て（３２１）を管理し、
前記方法（４００）は、
前記第１のサブネットワーク（３０７）の前記第１の識別エンティティ（３０９）によって前記通信端末（３０１）の識別（３０２）を受信するステップ（４０１）であって、前記識別（３０２）が前記通信端末（３０１）を識別する、ステップ（４０１）、
前記通信端末（３０１）の前記識別（３０２）に基づいて前記第１の識別エンティティ（３０９）によって前記通信端末（３０１）を識別するステップ（４０２）、
前記通信端末（３０１）へのサブネットワーク識別子（３０６）の割当て（３２１）に基づいて、前記管理エンティティ（３１９）によって前記通信端末（３０１）にサブネットワークを割り当てるステップ（４０３）、及び
前記通信端末（３０１）の前記識別（３０２）に割り当てられた前記サブネットワーク識別子（３０６）が前記第１のサブネットワーク（３０７）の前記サブネットワーク識別子（３１２）に一致する場合に、前記第１のサブネットワーク（３０７）を介して前記通信端末（３０１）の通信接続（３０８）を確立するステップ（４０４）、又は
前記送信された識別（３０２）に割り当てられた前記サブネットワーク識別子（３０６）と前記第１のサブネットワーク（３０７）の前記サブネットワーク識別子（３１２）とが異なる場合に、前記第２のサブネットワーク（３１１）を介して前記通信端末（３０１）の通信接続（３１０）を確立するステップ、
を備える、
方法（４００）。
【請求項２】
前記送信された識別（３０２）に割り当てられた前記サブネットワーク識別子（３０６）が前記第２のサブネットワークの前記サブネットワーク識別子（３１４）である場合、前記通信接続（３１０）が前記第２のサブネットワーク（３１５）を介して確立される、請求項１に記載の方法（４００）。
【請求項３】
前記通信ネットワーク（３０３）は第５世代（５Ｇ）又は更なる世代のネットワークであり、及び、
前記サブネットワーク（３０７、３１１、３１５）は前記通信ネットワーク（３０３）のスライスである、
請求項１又は２に記載の方法（４００）。
【請求項４】
前記管理エンティティ（３１９）が、以下の割当て：
前記サブネットワーク識別子（３０６）への、前記通信端末（３０１）の前記識別（３０２）、特にＩＭＳＩ若しくはＩＭＥＩ又はｅＩＤなど前記通信デバイス（３０１）のハードウェア識別子の割当て、及び／又は、
前記通信端末（３０１）への通信サービスの割当て、及び／又は、
前記通信端末（３０１）へのソフトフェアアプリケーションの割当て、及び／又は、
前記２つのサブネットワーク（３０７又は３１１）の１つへの前記通信端末（３０１）のオペレーティングシステムの割当て、
の少なくとも１つに基づいて、前記通信端末（３０１）への前記サブネットワーク識別子（３０６）の割当て（３２１）を行う、請求項１乃至３のいずれか１項に記載の方法（４００）。
【請求項５】
サブネットワーク（３０７、３１１、３１５）へのサブネットワーク識別子（３１２、３１４、３１６）の割当て（３２１）が前記管理エンティティ（３１９）に記録される、請求項１乃至４のいずれか１項に記載の方法（４００）。
【請求項６】
前記通信端末（３０１）が、前記通信デバイス（３０１）の前記識別（３０２）を、前記通信端末（３０１）に割り当てられた前記サブネットワーク（３０７、３１１）を示す前記サブネットワーク識別子（３０６）とともに、前記第１の識別エンティティ（３０９）又は前記第２の識別エンティティ（３１３）に送信する、請求項１乃至５のいずれか１項に記載の方法（４００）。
【請求項７】
第１の識別エンティティ（３０９）が、前記管理エンティティ（３１９）に、前記通信デバイス（３０１）の前記識別（３０２）及び第１のサブネットワーク（３０７）の前記サブネットワーク識別子（３１２）を送信する、請求項６に記載の方法（４００）。
【請求項８】
前記割り当てるステップ（４０３）において、前記管理エンティティ（３１９）は、前記第１の識別エンティティ（３０９）に前記通信デバイス（３０１）の前記識別（３０２）に割り当てられた前記サブネットワーク識別子（３０６）を送信し、及び、
前記通信端末（３０１）の前記識別（３０２）に割り当てられた前記サブネットワーク識別子（３０６）と前記第１のサブネットワーク（３０７）の前記サブネットワーク識別子（３１２）とが異なる場合に、前記第１の識別エンティティ（３０９）は前記送信されたサブネットワーク識別子（３０６）を前記通信端末（３０１）に送信し、又は、
前記通信端末（３０１）の前記識別（３０２）に割り当てられた前記サブネットワーク識別子（３０６）と前記第１のサブネットワーク（３０７）の前記サブネットワーク識別子（３１２）とが異なる場合に、前記第１の識別エンティティ（３０９）は、前記送信されたサブネットワーク識別子（３０６）を前記第２の識別エンティティ（３１３）に送信する、
請求項１乃至７のいずれか１項に記載の方法（４００）。
【請求項９】
前記第２のサブネットワーク（３１１）を介して通信接続（３１０）を確立する前記ステップ（４０４）において、前記通信端末（３０１）が、前記第２の識別エンティティ（３１３）に前記識別（３０２）を送信する、請求項１乃至８のいずれか１項に記載の方法（４００）。
【請求項１０】
前記第２のサブネットワーク（３１１）を介して前記通信接続（３１０）を確立する前記ステップ（４０４）において、前記第２の識別エンティティ（３１３）が前記通信端末（３０１）の前記識別（３０２）に基づいて前記通信端末（３０１）を識別し、前記通信端末（３０１）が識別された後に、
前記通信端末（３０１）へのサブネットワーク識別子の前記割当て（３２１）に基づいて前記管理エンティティ（３１９）によって前記通信端末（３０１）にサブネットワーク（３０７、３１１、３１５）を割り当てるステップ、及び
前記通信端末（３０１）の前記識別（３０２）に割り当てられた前記サブネットワーク識別子（３０６）が前記第２のサブネットワーク（３１１）の前記サブネットワーク識別子（３１４）に一致する場合に、前記第２のサブネットワーク（３１１）を介して前記通信端末の通信接続（３１０）を確立するステップ、又は
前記通信端末（３０１）の前記識別（３０２）に割り当てられた前記サブネットワーク識別子（３０６）と前記第２のサブネットワーク（３１１）の前記サブネットワーク識別子（３１４）とが異なる場合に、
前記通信ネットワーク（３０３）の更なるサブネットワーク（３１５）を介して前記通信端末（３０１）の通信接続（３１８）を確立する、若しくは、
前記通信デバイス（３０１）を拒否するステップ
が実行される、請求項９に記載の方法（４００）。
【請求項１１】
前記それぞれの通信接続（３０８、３１０）を確立する前記ステップ（４０４）において、前記通信端末（３０１）が、前記送信された識別（３０２）に割り当てられた前記サブネットワーク識別子（３０６）を前記第１の識別エンティティ（３０９）又は前記第２の識別エンティティ（３１３）に送信する、請求項１乃至１０のいずれか１項に記載の方法（４００）。
【請求項１２】
前記送信されたサブネットワーク識別子（３０６）が他の通信ネットワークのサブネットワークを示す場合、前記それぞれの識別エンティティ（３０９、３１３）又は前記管理エンティティ（３１９）は、前記送信されたサブネットワーク識別子（３０６）に基づいて、前記通信デバイス（３０１）に前記通信ネットワーク（３０３）のサブネットワーク（３０７、３１１、３１５）を割り当てる、請求項１１に記載の方法（４００）。
【請求項１３】
前記それぞれの識別エンティティ（３０９、３１３）又は前記管理エンティティ（３１９）は、前記もう一方の通信ネットワークの前記サブネットワークに対応する前記通信ネットワーク（３０３）の前記サブネットワーク（３０７、３１１、３１５）を前記通信デバイス（３０１）に割り当てる、請求項１２に記載の方法（４００）。
【請求項１４】
前記通信接続（３０８）は、前記第１の識別エンティティ（３０９）によって前記第１のサブネットワーク（３０７）を介して確立され、
前記通信接続（３１０）は、前記第２の識別エンティティ（３１３）によって前記第２のサブネットワーク（３１１）を介して確立される、
請求項１乃至１３のいずれか１項に記載の方法（４００）。
【請求項１５】
通信ネットワーク（３０３）を介して通信する通信端末（３０１）であって、
前記通信ネットワーク（３０３）は第１のサブネットワーク（３０７）及び第２のサブネットワーク（３１１）を有する複数のサブネットワーク（３０７、３１１）を有し、
前記通信デバイス（３０１）を識別する目的のために第１の識別エンティティ（３０９）が前記第１のサブネットワーク（３０７）に配置されるとともに第２の識別エンティティ（３１３）が前記第２のサブネットワーク（３１１）に配置され、
サブネットワーク識別子（３１２、３１４）が前記通信ネットワーク（３０３）の各サブネットワーク（３０７、３１１）に割り当てられ、
管理エンティティ（３１９）が前記通信ネットワーク（３０３）に配置され、前記２つのサブネットワーク（３０７、３１１）の１つへの前記通信端末（３０１）の割当て（３２１）を管理し、
前記通信端末（３０１）は、
前記第１のサブネットワーク（３０７）を介して接続確立（３０８）を開始するために、前記第１のサブネットワーク（３０７）の前記第１の識別エンティティ（３０９）に前記通信端末（３０１）の識別（３０２）を発信する通信インターフェース（３０５）を備え、
前記通信インターフェース（３０５）は、前記第１のサブネットワーク（３０７）を介して、第２のサブネットワーク（３１１）に割り当てられたサブネットワーク識別子（３０６）を受信するように構成され、
前記通信インターフェース（３０５）は、前記サブネットワーク識別子（３０６）の前記受信に応じて、前記第２のサブネットワーク（３１１）を介して通信接続（３１０）を確立するようにも構成される、
通信端末（３０１）。
【発明の詳細な説明】
【技術分野】
【０００１】
本発明は、複数のサブネットワークを有する通信ネットワーク、特に複数のスライスを有する５Ｇ通信ネットワークにおける通信確立に関する。
【背景技術】
【０００２】
第５世代モバイル技術（５Ｇ）は、概ね２０２０年以降から将来の通信ネットワークの要件及び技術課題に関する。データトラフィックの著しい成長及び複数レベルにおける相互ネットワーク化によって特徴付けられる完全にモバイルでかつネットワーク化された社会が、それにより取り組まれる。
【０００３】
５Ｇでは、例えば、モノのインターネット（ＩｏＴ）などの新たなアプリケーション、特殊な能力、例えばより短いランタイムについて、より高い周波数の使用に課される要件を満たすために新たな無線インターフェースが必要とされ、それは４Ｇ通信ネットワークが達成できるものを超える。この場合、５Ｇは、高度の集中を可能とする設計を有する全てのネットワーク態様を含むエンドトゥエンドシステムとみなされる。５Ｇは、まだ開発されていない他の多数のアクセス技術のうちの既存の固定ネットワークアクセス技術を含む、現在のアクセスメカニズム及びそれらの可能な発展型を最大限に活用することになる。
【０００４】
５Ｇは、大きく異なる環境において、すなわち、複数のタイプのアクセス技術、マルチレイヤネットワーク、種々のタイプの通信デバイス及びユーザインタラクションなどで動作することになる。相容れない要件、例えば、フェールセーフ、ロバスト通信、低データレートでの通信又は過密エリアにおけるブロードバンド通信の広範なアプリケーションが、最適にサポートされるように図られる。そのような環境において、時間及び空間にわたってシームレスでかつ一貫性のあるユーザ体験を実現するために、５Ｇに対する基本的要望がある。５Ｇ通信ネットワークのオペレータについては、複数のアプリケーションを同時にサポートすることを可能とするために、最適かつ動的な態様でそれぞれの要件に使用されるリソースを適合させる必要がある。
【０００５】
したがって、５Ｇでは、一方で、通信の性能を増加させ、特に、より高いデータスループット、低い遅延、特に高い信頼性、非常に高い接続密度及びより大きな範囲の移動性を提供し、他方では、手段の最低限の潜在的な使用とともに動作中の柔軟性を増加させ、カスタマイズされた機能を提供する必要がある。この増加した性能は、大きく異なる環境を制御する能力並びにユーザの信頼、アイデンティティ及びプライバシーを保護する能力とともに期待される。
【０００６】
本発明の課題は、上記の要件に関して、特に５Ｇにおいて、通信の性能及び柔軟性を増加させるコンセプトを提供することである。
【０００７】
この課題は、独立請求項の構成によって達成される。従属請求項は、有利な展開に関する。
【０００８】
以下に提示される方法及びシステムは、様々なタイプとなり得る。個々の記載要素は、ハードウェア又はソフトウェア構成要素、例えば、種々の技術によって生産され、例えば、半導体チップ、ＡＳＩＣ、マイクロプロセッサ、デジタル信号プロセッサ、集積電気回路、電気光回路及び／又は受動部品を備える電子部品によって実施可能となる。
【０００９】
以下に提示するデバイス、システム及び方法は、通信ネットワークを介した情報送信に適する。この場合、通信ネットワークという用語は、信号が送信される技術的なインフラを意味する。通信ネットワークは、信号が設置型デバイスとモバイル無線ネットワーク又は固定ネットワークのプラットフォームとの間で送信及び交換される交換ネットワーク並びに信号がネットワークアクセスデバイスと通信端末との間で送信されるアクセスネットワークを実質的に含む。この場合、通信ネットワークは、モバイル無線ネットワークの構成要素及び固定ネットワークの構成要素の両方を含んでいてもよい。モバイル無線ネットワークにおいて、アクセスネットワークはエアインターフェースとも呼ばれ、通信端末、例えばモバイル電話若しくはスマートフォン又はモバイル無線アダプタを有するモバイルデバイスに通信を確立するために、例えば、モバイル無線アンテナを有する基地局（ＮｏｄｅＢ、ｅＮｏｄｅＢ、無線セル）を有する。固定ネットワークにおいては、アクセスネットワークは、複数の加入者の通信端末を有線又はケーブル方式で接続するために、例えば、デジタル加入者回線接続マルチプレクサ（ＤＳＬＡＭ）を有する。通信を、交換ネットワークを介して、更なるネットワーク、例えば他のネットワークオペレータ、例えば国際ネットワークにパスすることができる。
【００１０】
以下に提示するデバイス、システム及び方法は、通信ネットワーク、特に、５Ｇシステムアーキテクチャによる通信ネットワークにおける通信を強化することを意図しており、以下に提示される。図１に、そのような５Ｇシステムアーキテクチャ１００の概略図を示す。５Ｇシステムアーキテクチャ１００は、種々のアクセス技術１０２を介して、管理及び計測レベル１０６を介して管理されるインフラ及びリソースレイヤ１０５、活性化レイヤ１０４並びにアプリケーションレイヤ１０３を有するマルチレイヤ通信ストラクチャに接続される５Ｇ通信端末１０１を有するエリアを含む。
【００１１】
インフラ及びリソースレイヤ１０５は、アクセスノード、（処理及び記憶ノードを有する）クラウドノード、例えば携帯電話、可搬デバイス、ＣＰＥ、機械通信モジュール及びその他の５Ｇデバイス、ネットワークノード並びに関連するリンクを伴う固定ネットワーク及びモバイル無線ネットワーク構成要素（「固定−モバイル集中」）を有する集中ネットワーク構造の物理的リソースを含む。５Ｇデバイスは、種々の及び構成可能な能力を有していてもよく、例えばリレー若しくはハブのように作用することもでき、又はそれぞれの背景に応じてコンピュータ／記憶リソースとして動作し得る。これらのリソースは、対応するアプリケーションプログラミングインターフェース（ＡＰＩ）を介して、上位レイヤ１０４、１０３並びに管理及び計測レベル１０６に利用可能である。性能及び構成を監視する処理は、そのようなＡＰＩの内在的部分である。
【００１２】
活性化レイヤ１０４は、モジュラアーキテクチャのモジュールの形態に集中したネットワーク内で必要とされる機能のライブラリを含む。これらには、所望の配置の記録場所から取り出し可能であるようなソフトウェアモジュール及びネットワークの特定の部分、例えば無線アクセスに関する構成パラメータのセットによって実現される機能が含まれる。これらの機能及び能力は、この目的のために提供されるＡＰＩを使用することによって管理及び計測レベル１０６による要求に応じて呼び出すことができる。特定の機能、例えば異なる性能又は特性を持つ同一の機能性の種々の実装のために、多数の変形が存在してもよい。提供される種々の程度の性能及び能力は、ネットワーク機能性を現在のネットワークにおいて可能なものよりも大幅に差別化して、例えば特定の必要性に基づいたモビリティ機能としての遊動移動性、車両移動性又は航空交通移動性を提供するのに使用可能となる。
【００１３】
アプリケーションレイヤ１０３は、ネットワークオペレータ、企業、又は５Ｇネットワークを使用する頂点のオペレータ若しくは第三者の特有のアプリケーション及びサービスを有する。管理及び計測レベル１０６へのインターフェースは、例えば、特定の、つまりは専用といえるネットワークスライスをアプリケーションに対して確立することができ、又はアプリケーションを既存のネットワークスライスに割り当てることができる。
【００１４】
管理及び計測レベル１０６は、必要なユースケース（及びビジネスモデル）を実際のネットワーク機能及びスライスに変換するための接点である。所与のアプリケーションシナリオのネットワークスライスを定義し、それらに関連するモジュラーネットワーク機能を連結し、関連する性能構成を割り当て、全てをインフラ及びリソースレイヤ１０５のリソースにマッピングする。管理及び計測レベル１０６は、これらの機能の容量及びそれらの地理的分布の拡縮も管理する。特定のユースケースでは、第三者がＡＰＩを使用して独自のネットワークスライスを生成及び管理できるようにする能力も有していてもよい。管理及び計測レベル１０６の多数のタスクのために、これはモノリシックな機能ブロックではなく、種々のネットワークドメイン、例えばＮＦＶ（ネットワーク機能仮想化）、ＳＤＮ（ソフトウェア定義型ネットワーク）又はＳＯＮ（自己管理型ネットワーク）で達成された進歩を統合するモジュラ機能の集合である。管理及び計測レベル１０６は、データ支援インテリジェンスを使用して、サービスの配置及び提供の全ての態様を最適化する。
【００１５】
ここに示すデバイス、システム及び方法は、通信ネットワークにおける、特に以下に説明する複数のネットワークスライスを有する５Ｇ通信ネットワークにおける通信を改善することを意図している。図２に、複数のネットワークスライスを有する５Ｇ通信ネットワーク２００の概略図を示す。５Ｇ通信ネットワーク２００は、インフラ及びリソースレイヤ１０５、活性化レイヤ１０４及びアプリケーションレイヤ１０３を有する。
【００１６】
インフラ及びリソースレイヤ１０５は、ネットワークオペレータに割り当てられた全ての物理資産、つまりはサイト、ケーブル、ネットワークノードなどを含む。このレイヤ１０５は、全てのネットワークスライスに関する基礎を形成する。それは、特殊な物理的ユニットが多すぎることなく、可能な限り一般的に構築される。インフラ及びリソースレイヤ１０５は、任意のタイプのユーザ固有の実現を上位レイヤから隠し、残りのシステムは異なるスライスに対して最適な方式で使用できる結果となる。インフラ及びリソースレイヤ１０５の構成要素は、ハードウェア並びにそれぞれの操作に対して必要とされ今回の場合はリソースオブジェクトとして上記のレイヤにインフラ及びリソースレイヤ１０５として利用可能となるソフトウェア又はファームウェアに基づいている。例えば、インフラ及びリソースレイヤ１０５のオブジェクトは、仮想マシン、仮想リンク又は接続及び仮想ネットワーク、例えば仮想アクセスノード２３１、２３２、２３３、仮想ネットワークノード２３４、２３５、２３６、２３７及び仮想コンピュータノード２３８、２３９、２４０を含む。用語「仮想」が既に述べているように、インフラ及びリソースレイヤ１０５は、オブジェクトを「サービスとしてのインフラ」２５１の形式で、つまり次の上位レイヤ１０４に対して抽象化、仮想化された形式で提供する。
【００１７】
活性化レイヤ１０４は、インフラ及びリソースレイヤ１０５の上に配置される。それは、任意のタイプのネットワークスライスを生成し、それにより次の上位レイヤ１０３に対するサービスとしてのプラットフォームを提供することを可能にするために、インフラ及びリソースレイヤ１０５のオブジェクトを使用して、（例えば非物理的な）ソフトウェアオブジェクト／ＶＮＦの形態においてそれらに追加的な機能を加える。
【００１８】
ソフトウェアオブジェクトは、任意の粒度で存在し得るものであり、ネットワークスライスの小さな断片又は非常に大きな断片を有し得る。ネットワークスライスが適切な抽象化レベルで生成されるようにするために、種々の抽象化されたオブジェクト２２１を、集約されたオブジェクト２２４に変換されオブジェクトライブラリ２２５において次の上位のレベルで利用可能となる結合されたオブジェクト２２３を形成するために、活性化レイヤ１０４における他の抽象化されたオブジェクト及び仮想ネットワーク機能２２２と結合することができる。したがって、複雑性をネットワークスライスに隠すことができる。例えば、ユーザはモバイルブロードバンドスライスを生成することができ、その過程で、個々のローカルアンテナカバレッジ、バックホール接続及び特定の度合いのパラメータ化などの特定の機能を指定することを要さずにＫＰＩ（キーパフォーマンスインジケータ）のみを定義することができる。オープンな環境をサポートし、要求に応じてネットワーク機能を追加又は削除できるようにするために、活性化レイヤ１０４の重要な能力は、例えばＳＦＣ（サービス機能連鎖）を使用するか又はソフトウェアを変形することによってネットワークスライスにおける機能及び接続性の動的な再配置をサポートすることであり、その結果、スライスの機能性は、完全に予め定義され、ほぼ静的なソフトウェアモジュール及び動的に追加可能なソフトウェアモジュールの双方を備えることができる。
【００１９】
この場合、ネットワークスライスは、完全なネットワークを定義するオブジェクトのセットに基づくソフトウェア定義型エンティティであると考えることができる。活性化レイヤ１０４は、ネットワークスライスを提供するために必要な全てのソフトウェアオブジェクト及びオブジェクトの取り扱いに関して対応するスキルを有し得るので、このコンセプトの成功の鍵となる役割を果たす。活性化レイヤ１０４は、ネットワーク生成環境によって補完される一種のネットワークオペレーティングシステムであると考えられる。活性化レイヤ１０４の重要なタスクは、対応する抽象化レベルを定義することである。したがって、プラットフォームオペレータはそれでも物理的ノードを保持及び最適化できるが、ネットワークオペレータは彼らのネットワークスライスを設計するのに充分な自由度を有している。例えば、ＮｏｄｅＢの追加又は交換などの日常的なタスクの性能は、ネットワーク顧客の介入なしにサポートされる。完全な電気通信ネットワークをモデル化する適切なオブジェクトの定義は、ネットワークスライス環境を開発する際の活性化レイヤ１０４の重要なタスクの１つである。
【００２０】
５Ｇスライスとも呼ばれるネットワークスライスは、特定の接続タイプの通信サービスを、コントロール（Ｃ）及びユーザデータ（Ｕ）レイヤを扱う特定の方法でサポートする。５Ｇスライスは、特定のユースケースを使用するためにともに組み合わされる、異なる５Ｇネットワーク機能及び特定の無線アクセス技術（ＲＡＴ）設定との集合で構成される。したがって、５Ｇスライスは、ネットワークの全てのドメイン、例えばクラウドノード上で動作するソフトウェアモジュール、機能の柔軟な位置をサポートするトランスポートネットワークの特定の構成、特定の無線構成又は特定のアクセス技術でさえ、さらに５Ｇデバイスの構成に及ぶことができる。全てのスライスが同一の機能を含むわけではない。現在、モバイルネットワークにとって不可欠であると思われる幾つかの機能は、一部のスライスにおいて生じさえしなくてもよい。５Ｇスライスの意図は、特定のユースケースに必要とされる機能だけを提供し、他の全ての不要な機能を回避することである。スライスコンセプトの背景にある柔軟性は、既存のユースケースの拡張及び新規のユースケースの生成の両方に対して重要事項である。したがって、第三者デバイスは、カスタマイズされたサービスを提供できるように、適切なＡＰＩを介してスライシングの特定の態様を制御するための許可を得ることができる。
【００２１】
アプリケーションレイヤ１０３は、全ての生成ネットワークスライス２１０ｂ、２１１ｂ、２１２ｂを有し、これらを種々のネットワークユーザ、例えば種々の顧客に「サービスとしてのネットワーク」として提供する。そのコンセプトにより、種々のユーザのための定義されたネットワークスライス２１０ｂ、２１１ｂ、２１２ｂを、例えば顧客のために、例えば新規のネットワークスライスエンティティ２１０ａ、２１１ａ、２１２ａとして再利用することが可能となる。つまり、自動車用アプリケーションに割り当てられるネットワークスライス２１０ｂ、２１１ｂ、２１２ｂを、例えば種々の他の産業用途として使用することも可能となる。例えば、ネットワークスライスの全体の機能が同一となり得る場合でも、第１のユーザによって生成されたスライスエンティティ２１０ａ、２１１ａ、２１２ａは、第２のユーザによって生成されたスライスエンティティから独立していてもよい。
【発明の概要】
【００２２】
第１の態様によれば、本発明は、通信ネットワークを介して通信端末の通信接続を確立する方法に関し、通信ネットワークは、第１のサブネットワーク及び第２のサブネットワークを有する複数のサブネットワークを有し、通信デバイスを識別するために第１の識別エンティティが第１のサブネットワークに配置されるとともに第２の識別エンティティが第２のサブネットワークに配置され、サブネットワーク識別子が通信ネットワークの各サブネットワークに割り当てられ、管理エンティティが通信ネットワークに配置され、２つのサブネットワークの１つへの通信端末の割当てを管理し、方法は、第１のサブネットワークの第１の識別エンティティによって通信端末の識別を受信するステップであって識別が通信端末を識別するステップ、通信端末の識別に基づいて第１の識別エンティティによって通信端末を識別するステップ、通信端末へのサブネットワーク識別子の割当てに基づいて管理エンティティによって通信端末にサブネットワークを割り当てるステップ、及び通信端末の識別に割り当てられたサブネットワーク識別子が第１のサブネットワークのサブネットワーク識別子に一致する場合に第１のサブネットワークを介して通信端末の通信接続を確立するステップ、又は送信された識別に割り当てられたサブネットワーク識別子と第１のサブネットワークのサブネットワーク識別子とが異なる場合に第２のサブネットワークを介して通信端末の通信接続を確立するステップを備える。
【００２３】
通信ネットワークのサブネットワーク構造のために、通信性能を向上させることができる。特に、より高いデータスループット、より短い遅延、特に高い信頼性、特に高い接続密度及びより広い移動領域がそれにより得られる。性能の増加とともに、大きく異なる環境は、ユーザの機密性、アイデンティティ及びプライバシーを保護する能力を加えて本方法を使用して制御される。
【００２４】
方法の一実施形態では、送信された識別に割り当てられたサブネットワーク識別子が第２のサブネットワークのサブネットワーク識別子である場合には、通信接続は第２のサブネットワークを介して確立される。
【００２５】
通信端末の第１のサブネットワークの規定の設定の場合、これには第１のサブネットワークを介して通信が行われるという効果があり、つまりは、通信端末は、当初、サブネットワークの構造及び通信ネットワークの構造に関する任意の情報を必要としない。しかしながら、例えば以前の通信からの情報が通信端末に利用可能であり、それが第２のサブネットワークに割り当てられることを示す場合、デフォルトのクエリを必要とすることなく、第２のサブネットワークを介して直ちに通信を開始することができる。
【００２６】
方法の一実施形態では、通信ネットワークは、第５世代（５Ｇ）又は更なる世代のネットワークであり、サブネットワークは通信ネットワークのスライスである。
【００２７】
これにより、５Ｇのネットワーク構造の全ての効果、例えばより高いデータスループットを有するより高い無線周波数、新規のアプリケーション、例えばモノのインターネット、特別な能力、例えばより短い伝搬時間を獲得することが可能となり、それらは４Ｇ通信ネットワークが達成できるものを超えている。通信ネットワークは、高度な集中での全てのネットワークの態様を含むエンドトゥエンドシステムを提供し得る。さらに、既存のアクセス機構及びそれらの可能な更なる開発を充分に使用することができる。
【００２８】
方法の一実施形態では、管理エンティティは、以下の割当て、すなわち、サブネットワーク識別子への、通信端末の識別、特にＩＭＳＩ（国際移動体加入者識別番号）若しくはＩＭＥＩ（国際移動体装置識別番号）又はｅＵＩＣＣ（組み込みユニバーサル集積回路カード）のｅＩＤ（ｅＵＩＣＣ識別子）などの通信デバイスのハードウェア識別子の割当て、及び／又は通信端末への通信サービスの割当て、及び／又は通信端末へのソフトフェアアプリケーションの割当て、及び／又は２つのサブネットワークの１つへの通信端末のオペレーティングシステムの割当ての少なくとも１つに基づいてサブネットワーク識別子を通信端末に割り当てる。
【００２９】
これには、複数の識別子、例えば通信サービスのＩＭＳＩ、ＩＭＥＩ若しくはｅＩＤ、ソフトウェアアプリケーション又はオペレーティングシステムに基づいて通信端末がサブネットワークに割り当てられ、より高い柔軟性が提供されるという効果がある。
【００３０】
サブネットワークを異なるアプリケーション又はサービスに割り当てることができるため、通信端末はさらにそれを基礎として複数のサブネットワークを介して通信することができる。サブネットワークは、異なる機能、サービス又はアプリケーションによって互いに異なる。
【００３１】
管理エンティティをサブネットワークと同じ通信レベル、例えば５Ｇレイヤモデルによるアプリケーションレイヤ上に配置することができるので、通信端末のサブネットワークへの割当ては、有利に迅速に発見することができる。したがって、例えば５Ｇレイヤモデルによる上位の管理及び計測レイヤに配することのできる上位のネットワーク管理に接続要求を開始する必要がない。一実施形態では、ＵＥ又は通信端末は、一部の情報に基づいて、サブネットワーク識別子によって識別可能なサブネットワークに割り当てられることができ、その結果、サブネットワークへのサブネットワーク識別子の更なる割当ては絶対的には必要でない。
【００３２】
方法の一実施形態では、通信端末は、第１の識別エンティティ又は第２の識別エンティティに、通信デバイスの識別を、通信端末に割り当てられたサブネットワークを示すサブネットワーク識別子とともに送信する。
【００３３】
これには、通信端末が通信端末を識別するために必要な全ての情報をそれぞれの識別エンティティに送信するという効果がある。
【００３４】
方法の一実施形態では、第１の識別エンティティは、管理エンティティに通信デバイスの識別及びサブネットワーク識別子を送信する。
【００３５】
これには、通信端末をサブネットワークに割り当てるために、第１の識別エンティティが、必要な情報を全て管理エンティティに送信するという効果がある。
【００３６】
方法の一実施形態では、割り当てるステップにおいて、管理エンティティは、第１の識別エンティティに通信デバイスの識別に割り当てられたサブネットワーク識別子を送信し、通信端末の識別に割り当てられたサブネットワーク識別子と第１のサブネットワークのサブネットワーク識別子とが異なる場合に、第１の識別エンティティは、送信されたサブネットワーク識別子を通信端末に送信するか、又は、通信端末の識別に割り当てられたサブネットワーク識別子と第１のサブネットワークのサブネットワーク識別子とが異なる場合に、第１の識別エンティティは、送信されたサブネットワーク識別子を第２の識別エンティティに送信する。
【００３７】
これには、通信端末をサブネットワークに柔軟に割り当てるという効果がある。割当て情報は、個々のサブネットワークではなく管理エンティティにのみ存在する必要がある。
【００３８】
一実施形態では、サブネットワーク識別子は、ＵＥ又は通信端末がサブネットワーク識別子も受信する場合にのみ、第２の識別エンティティに転送される。そして、第２の識別エンティティを介した照合は、第２のステップにおいて省略可能であり、方法を単純化する。
【００３９】
方法の一実施形態では、第２のサブネットワークを介した通信接続を確立するステップにおいて、通信端末は、第２の識別エンティティに識別を送信する。
【００４０】
これには、それによって通信端末の識別が第２のサブネットワークに利用可能になり、それによって後者は、通信端末を識別して認証することができる。
【００４１】
方法の一実施形態では、第２のサブネットワークを介して通信接続を確立するステップにおいて、第２の識別エンティティが通信端末の識別に基づいて通信端末を識別し、通信端末が識別された後に、通信端末へのサブネットワーク識別子の割当てに基づいて管理エンティティによって通信端末にサブネットワークを割り当てるステップ、及び通信端末の識別に割り当てられたサブネットワーク識別子が第２のサブネットワークのサブネットワーク識別子に一致する場合に、第２のサブネットワークを介して通信端末の通信接続を確立するステップ、又は通信端末の識別に割り当てられたサブネットワーク識別子と第２のサブネットワークのサブネットワーク識別子とが異なる場合に通信ネットワークの更なるサブネットワークを介して通信端末の通信接続を確立し、又は通信端末を拒否するステップが実行される。
【００４２】
これにより、再帰的接続確立を実現すること、つまりは、最初に第１のサブネットワークを介して、次に第２のサブネットワークを介して、最終的に第ｎのサブネットワークを介するまで接続の試行を実行することが有利に可能となる。
【００４３】
方法の一実施形態では、それぞれの通信接続を確立するステップにおいて、通信端末は、第１の識別エンティティ又は第２の識別エンティティにサブネットワーク識別子を送信する。これには、効率のよい通信接続を確立するために、サブネットワーク識別子及び通信端末の識別が全ての更なる通信ノードにおいて使用されることが可能となるという効果がある。
【００４４】
方法の一実施形態では、送信されたサブネットワーク識別子が他の通信ネットワークのサブネットワークを示す場合、それぞれの識別エンティティ又は管理エンティティは、送信されたサブネットワーク識別子に基づいて、通信端末に通信ネットワークのサブネットワークを割り当てる。
【００４５】
したがって、これには、それぞれの識別エンティティ又は管理エンティティによって、ローミングがそれによって効率よく実現され得るという効果がある。
【００４６】
方法の一実施形態では、それぞれの識別エンティティ又は管理エンティティは、他方の通信ネットワークのサブネットワークに対応する通信ネットワークのサブネットワークを通信デバイスに割り当てる。
【００４７】
これには、方法がホーム通信ネットワーク及び外部通信ネットワークの双方で使用され得るという効果がある。ローミングは、それによって効率よく実現される。
【００４８】
方法の一実施形態では、通信接続は、第１の識別エンティティによって第１のサブネットワークを介して確立され、また、通信接続は第２の識別エンティティによって第２のサブネットワークを介して確立される。
【００４９】
これには、各サブネットワークが通信端末に独立して通信接続を確立できるという効果がある。
【００５０】
第２の態様によれば、本発明は、通信ネットワークを介して通信する通信端末に関し、通信ネットワークは第１のサブネットワーク及び第２のサブネットワークを有する複数のサブネットワークを有し、通信デバイスを識別する目的のために第１の識別エンティティが第１のサブネットワークに配置されるとともに第２の識別エンティティが第２のサブネットワークに配置され、サブネットワーク識別子が通信ネットワークの各サブネットワークに割り当てられ、管理エンティティが通信ネットワークに配置され２つのサブネットワークの１つへの通信端末の割当てを管理し、通信端末は、第１のサブネットワークを介して接続確立を開始するために第１のサブネットワークの第１の識別エンティティに通信端末の識別を発信する通信インターフェースを有し、通信インターフェースは、第１のサブネットワークを介して、第２のサブネットワークに割り当てられたサブネットワーク識別子を受信するように構成され、通信インターフェースは、サブネットワーク識別子の受信に応じて、第２のサブネットワークを介して通信接続を確立するようにも構成される。
【００５１】
通信端末と通信する性能は、通信ネットワークのサブネットワーク構造により向上させることができる。特に、より高いデータスループット、より短い遅延、特に高い信頼性、非常に高い接続密度及びより広範囲の移動領域をそれによって得ることができる。さらに、通信端末は高度に異種の環境においても使用可能となり、そのユーザに機密性、アイデンティティ及びプライバシーを提供する。
【００５２】
更なる例示の実施形態を、添付図面を参照して説明する。
【図面の簡単な説明】
【００５３】
【図１】５Ｇシステムアーキテクチャ１００の概略図を示す図である。
【図２】複数のスライス２００を有する５Ｇ通信ネットワークの概略図を示す図である。
【図３】例示の一実施形態による、通信端末３０１及び通信ネットワーク３０３を有する通信システム３００の概略図を示す図である。
【図４】例示の一実施形態による、通信ネットワークを介して通信端末の通信接続を確立するための方法４００の概略図を示す図である。
【図５】例示の一実施形態による、５Ｇネットワーク５００の例を用いる通信ネットワークにおける通信端末を登録する処理の概略図を示す図である。
【発明を実施するための形態】
【００５４】
以下の詳細な説明において、その一部を構成し、発明が実施され得る具体的な実施形態を例示として示す添付図面が参照される。本発明のコンセプトから逸脱することなく他の実施形態も利用され、構造的又は論理的変更がなされ得ることは言うまでもない。したがって、以下の詳細な説明は、限定的に解釈されるものではない。また、ここに説明する種々の例示の実施形態の構成は、特に断りがない限り、相互に組み合わされてもよいことは言うまでもない。
【００５５】
図面を参照して態様及び実施形態を説明し、ここでは同様の符号は一般的に同様の要素を示す。以下の説明において、説明の目的のため、発明の１以上の態様の完全な理解を与えるために多数の具体的詳細を説明する。しかし、当業者には、１以上の態様又は実施形態が具体的詳細のより低い程度で実施可能であることは明らかである。他の場合では、１以上の態様又は実施形態を説明することを容易化するために、周知の構造及び要素が模式形態で示される。本発明のコンセプトから逸脱することなく他の実施形態が利用され、構造的又は論理的変更がなされ得ることは言うまでもない。
【００５６】
実施形態の特定の構成又は態様は複数の実施例のうちの１つのみに関して開示されているとしても、そのような構成又はそのような態様は、所与又は特定のアプリケーションについて所望かつ有利となるような他の実施例の１以上の他の構成又は態様と組み合わされ得る。またさらに、文言「含む」、「有する」、「有している」又はそれらの他の変化形は詳細な説明又は特許請求の範囲において使用される範囲で、そのような文言は、文言「備える」と同様に包含的である。文言「結合された」及び「接続された」は、その派生語とともに使用され得る。そのような文言は、２つの要素が、それらが直接若しくは電気的な接触状態にあるか又は相互に直接物理的に接触していないかにかかわらず、相互に協働又は相互作用することを示すように使用されることは言うまでもない。さらに、文言「例として」は最良又は最適についての用語としてではなく例示としてのみ解釈されるべきである。したがって、以降の説明は、限定的に解釈されてはならない。
【００５７】
図３に、例示の実施形態による通信端末３０１及び通信ネットワーク３０３を有する通信システム３００の概略図を示す。
【００５８】
通信端末３０１は、メッセージを通信ネットワーク３０３と交換して通信ネットワーク３０３との又はそれを介して通信端末３０１の接続を確立するための通信インターフェース３０５を備える。
【００５９】
通信ネットワーク３０３は、第１のサブネットワーク３０７、第２のサブネットワーク３１１及び第ｎのサブネットワーク３１５が例示的に示される更なるサブネットワークを有する複数のサブネットワーク３０７、３１１、３１５を備える。この複数のサブネットワークは、図１及び図２について上述したように、複数のスライス２１０ｂ、２１１ｂ、２１２ｂに対応する。通信端末３０１を識別するのに使用され得る第１の識別エンティティ３０９が、第１のサブネットワーク３０７に配置される。通信端末３０１が識別され得る第２の識別エンティティ３１３が、第２のサブネットワーク３１１に配置される。同じことが他のサブネットワークにも当てはまり、すなわち、通信端末３０１が識別され得る第ｎの識別エンティティ３１７が第ｎのサブネットワーク３１５に配置される。
【００６０】
通信ネットワーク３０３の各サブネットワーク３０７、３１１、３１５は、対応のサブネットワークを識別するサブネットワーク識別子３１２、３１４、３１６に割り当てられる。通信ネットワーク３０３は、サブネットワーク３０７、３１１、３１５のうちの１つへの通信端末３０１の割当て３２１を管理する管理エンティティ３１９も備える。
【００６１】
通信端末３０１の通信インターフェース３０５は、第１のサブネットワーク３０７を介して接続確立３０８を開始するために、通信端末３０１の識別３０２を第１のサブネットワーク３０７の第１の識別エンティティ３０９に送出するように設計される。
【００６２】
通信インターフェース３０５はまた、第１のサブネットワーク３０７を介して、例えば第２のサブネットワーク３１１に割り当てられ、管理エンティティによって管理される割当て３２１、例えば管理エンティティのテーブルに記憶され得るサブネットワーク識別子３０６を受信するように設計される。
【００６３】
通信インターフェース３０５はまた、サブネットワーク識別子３０６の受信に応じて、すなわち、第２のサブネットワーク３１１にサブネットワーク識別子３０６を割り当てる際に、第２のサブネットワーク３１１を介して通信接続３１０を確立するように設計される。サブネットワーク識別子３０６が他のサブネットワーク、例えば第ｎのサブネットワーク３１５に割り当てられる場合、通信インターフェース３０５は第ｎのサブネットワーク３１５を介して通信接続３１８を確立する。
【００６４】
通信ネットワーク３０３に関して、通信は、以下に説明するように確立される。
【００６５】
第１のサブネットワーク３０７の第１の識別エンティティ３０９は、例えば、デフォルトの識別エンティティを有するデフォルトのサブネットワークとして通信システム３０１に割り当てられており、通信システム３０１の識別３０２を受信する。この識別３０２は、通信システム３０１を識別する。この識別３０２に基づいて、第１の識別エンティティ３０９は、通信端末３０１を識別する。この場合、第１の識別エンティティ３０９のタスクは、ＬＴＥネットワークにおけるＭＭＥ（モビリティ管理エンティティ）のものに対応し、又はそれらを備え得る。識別は、通信端末３０１、例えばそこにリンクされたＵＥのＩＭＳＩ又は一時的識別構成に基づいて行われる。
【００６６】
そして、サブネットワークが、サブネットワーク識別子３０６の割当て３２１に基づいて管理エンティティ３１９によって通信端末３０１に割り当てられる。
【００６７】
通信端末３０１の識別３０２に割り当てられるサブネットワーク識別子３０６が第１のサブネットワーク３０７のサブネットワーク識別子３１２に一致する場合、第１のサブネットワーク３０７を介した通信端末３０１の通信接続３０８の確立が続く。代替として、送信された識別３０２に割り当てられたサブネットワーク識別子３０６及び第１のサブネットワーク３０７のサブネットワーク識別子３１２が異なる場合又は送信された識別３０２に割り当てられたサブネットワーク識別子３０６が第２のサブネットワーク３１１又は第ｎのサブネットワーク３１５のサブネットワーク識別子３１２に一致する場合、第２のサブネットワーク３１１又は他のサブネットワークを介した通信端末３０１の通信接続３１０、例えば、第ｎのサブネットワーク３１５を介した通信接続３１８の確立が続く。
【００６８】
この場合、管理エンティティ３１９のタスクは、ＬＴＥ（ロングタームエボリューション）ネットワークにおけるＨＳＳ（ホームサブスクライバサーバ）のものに対応し、又はそれらを備えることができ、すなわち、以下の手順が、接続の確立のために通信ネットワーク３０３において行われ得る。
【００６９】
まず、管理エンティティ３１９は、認証のために、続いて、暗号化及びメッセージ整合性の保護などの安全関連の処理のために要求されるパラメータを提供する。これらのパラメータは、ランダム値ＲＡＮＤ、キーＫＡＳＭＥ、認証確認ＸＲＥＳの期待される結果、及び認証トークンＡＵＴＮとなり得る。これら４個のパラメータは、いわゆる認証ベクトルとして、管理エンティティ３１９から対応のサブネットワーク３０７に送信され得る。
【００７０】
ＲＡＮＤ及びＡＵＴＮは、第１の識別エンティティ３０９から、例えば、第１の通信ノード（不図示）、例えばｅＮｏｄｅＢ（基地局）を介して通信端末３０１、例えばＵＥ（ユーザ機器）に送信され得る。この場合、第１の通信ノードは、通信端末３０１と第１の識別エンティティ３０９の間の通信を可能とするために、通信端末３０１と第１のサブネットワーク３０７の間に配置され得る。第１の通信ノードは、通信端末３０１と更なるサブネットワーク３１１、３１５との間の通信を可能とするために、更なるサブネットワーク３１１、３１５にも接続され得る。第１の通信ノードは、例えば、ＲＡＴ（無線アクセス技術）、例えばＷＬＡＮ、ＷｉＦｉ、モバイル無線エアインターフェースなどを用いて通信端末３０１によって到達可能となる。
【００７１】
通信端末３０１は、ＵＩＣＣにおいて記憶される秘密鍵から幾つかのパラメータ、例えばＫＡＳＭＥを同様に導出することができ、このパラメータによって、通信端末がＡＵＴＮの補助による通信ネットワーク３０３の認証性を確認し、特定のアルゴリズムを用いてＲＡＮＤ及びＫＡＳＭＥからからＲＥＳの値を算出することができる。そして、この値は、例えば第１の通信ノードを介して第１の識別エンティティ３０９に送信され得る。ＲＥＳとＸＲＥＳとが同じである場合、第１の識別エンティティ３０９は管理エンティティ３１９に、通信端末３０１の認証が肯定的に結論付けられたことを後者に通知するためのメッセージを送信する。そして、管理エンティティは、許可された接続（ＱｏＳプロファイルを有するＰＤＳ加入者コンテキスト）でこの通信端末３０１に対するリストを第１の識別エンティティ３０９に送信することができる。
【００７２】
そして、第１の識別エンティティ３０９は、通信端末３０１から、例えば、サービングゲートウェイ（Ｓ−ＧＷ）を介して、パケットデータネットワークゲートウェイ（ＰＤＮ−ＧＷ）へのデフォルトのキャリア（例えば、ＩＰ接続）を確立し、通信端末３０１に登録処理の成功を通知することができる。
【００７３】
ここで、通信端末３０１は、通信ネットワーク３０３を介して通信を行うことができる。また、更なるキャリアについてのＰＤＮ−ＧＷ若しくは通信端末３０１からの接続要求又は既存のキャリアの修正が、管理エンティティ３１９によって受信されたデータに基づいて第１の識別エンティティ３０９によって認証され得る。
【００７４】
通信接続３１０は、送信された識別３０２に割り当てられたサブネットワーク識別子３０６が第２のサブネットワーク３１１のサブネットワーク識別子３１４である場合、第２のサブネットワーク３１１を介して確立され得る。
【００７５】
代替として、通信接続３１０は、送信された識別３０２に割り当てられたサブネットワーク識別子３０６が第ｎのサブネットワーク３１５のサブネットワーク識別子３１６である場合、第ｎのサブネットワーク３１５を介して確立され得る。
【００７６】
通信ネットワーク３０３は第５世代（５Ｇ）又は更なる世代のネットワークであればよく、サブネットワーク３０７、３１１及び３１５は図１及び図２において上述したような通信ネットワーク３０３のスライスとなり得る。
【００７７】
管理エンティティ３１９は、以下の割当て：通信端末３０１の識別３０２の割当て、例えば、サブネットワーク識別子３０６に対するＩＭＳＩ若しくはＩＭＥＩ又はｅＩＤなどの通信デバイス３０１のハードウェア識別子への割当て、及び／又は通信端末３０１に対する通信サービスの割当て、及び／又は通信端末３０１に対するソフトウェアアプリケーションの割当て、及び／又は２つのサブネットワーク３０７、３１１のうちの１つに対する通信端末３０１のオペレーティングシステムの割当て、の１以上に基づいて、通信デバイス３０１へのサブネットワーク識別子３０６の割当て３２１を行うことができる。
【００７８】
サブネットワークは様々なアプリケーション又はサービスに割り当て可能となるので、通信端末３０１はそれにさらに基づいて複数のサブネットワーク３０７、３１１、３１５を介して通信を行うことができる。サブネットワークは、それらの様々な機能、サービス又はアプリケーションによって相互に異なる。
【００７９】
サブネットワーク識別子への通信端末３０１の割当てに加えて、管理エンティティ３１９は、例えば、管理エンティティ３１９のテーブル又はメモリに記憶され得るサブネットワーク３０７、３１１、３１５へのサブネットワーク識別子３１２、３１４、３１６の割当ても備え得る。
【００８０】
通信端末３０１は、通信端末３０１に割り当てられたサブネットワーク３０７、３１１、３１５を示すサブネットワーク識別子３０６とともに、通信デバイス３０１の識別３０２を第１の識別エンティティ３０９又は他の識別エンティティ３１３、３１７に送信することができる。これに応じて、第１の識別エンティティ３０９は、通信デバイス３０１の識別３０２及び第１のサブネットワーク３０７のサブネットワーク識別子３１２を管理エンティティ３１９に送信することができる。同様の機能が、他の識別エンティティ３１３、３１７にも当てはまる。
【００８１】
サブネットワークを通信端末３０１に割り当てる際に、管理エンティティ３１９は、通信デバイス３０１の識別３０２に割り当てられたサブネットワーク識別子３０６を第１の識別エンティティ３０９に送信することができる。通信端末３０１の識別３０２に割り当てられたサブネットワーク識別子３０６と第１のサブネットワーク３０７のサブネットワーク識別子３１２とが異なる場合、第１の識別エンティティ３０９は送信されたサブネットワーク識別子３０６を通信端末３０１に送信することができる。通信端末３０１の識別３０２に割り当てられたサブネットワーク識別子３０６と第１のサブネットワーク３０７のサブネットワーク識別子３１２とが異なる場合、第１の識別エンティティ３０９は送信されたサブネットワーク識別子３０６を第２の識別エンティティ３１３に送信することができる。
【００８２】
第２のサブネットワーク３１１を介して通信接続３１０を確立する際に、通信端末３０１は、識別３０２を第２の識別エンティティ３１３に送信することができる。
【００８３】
第２のサブネットワーク３１１を介して通信接続３１０を確立する際に、第２の識別エンティティ３１３は、通信端末３０１の識別３０２に基づいて通信端末３０１を識別することができる。通信端末３０１が識別された後に、以下の：通信端末３０１に対するサブネットワーク識別子の割当て３２１に基づいて、管理エンティティ３１９によって通信端末３０１へのサブネットワーク３０７、３１１、３１５を割り当てるステップ、及び通信端末３０１の識別３０２に割り当てられたサブネットワーク識別子３０６が第２のサブネットワーク３１１のサブネットワーク識別子３１４に一致する場合に第２のサブネットワーク３１１を介して通信端末の通信接続３１０を確立するステップが実行可能となる。代替として、通信端末３０１の通信接続３１８は通信ネットワーク３０３の更なるサブネットワーク３１５を介して確立可能となり、又は通信端末３０１の識別３０２に割り当てられたサブネットワーク識別子３０６と第２のサブネットワーク３１１のサブネットワーク識別子３１４とが異なる場合には通信デバイス３０１は拒否され得る。
【００８４】
接続確立は、ここでは再帰的であってもよい。すなわち、まず、第１のサブネットワーク３０７を介した通信を確立する試行が行われる。通信端末３０１の不適なサブネットワーク識別子３０６のためにこれが可能でない場合、試行は第２のサブネットワーク３１１を介して通信を確立するように行われる。通信端末３０１の不適なサブネットワーク識別子３０６のためにこれが可能でない場合にも、更なるサブネットワーク、例えば第ｎのサブネットワーク３１５を介した通信を確立する試行が行われる。通信端末３０１の不適なサブネットワーク識別子３０６のために最後の通信確立が可能でない場合には、通信の確立が拒否される。あるいは、通信確立は、より早く、例えば、第１、第２、第３、第ｎの試行失敗後に拒否されてもよい。
【００８５】
それぞれの通信接続３０８、３１０、３１８を確立する際に、通信端末３０１は、識別３０２に割り当てられたサブネットワーク識別子３０６を第１の識別エンティティ３０９、第２の識別エンティティ３１３又は第ｎの識別エンティティ３１７に送信することができる。
【００８６】
送信されたサブネットワーク識別子３０６が他の通信ネットワークのサブネットワーク、例えば外部ネットワークを示す場合、それぞれの識別エンティティ３０９、３１３、３１７又は管理エンティティ３１９は、送信されたサブネットワーク識別子３０６に基づいて、通信ネットワーク３０３のサブネットワーク３０７、３１１、３１５を通信端末３０１に割り当てることができる。ローミングは、ここではそれぞれの識別エンティティ３０９、３１３、３１７を介して実行され得る。訪問されるネットワークの視点から機能を説明する。この場合、それぞれの識別エンティティ３０９、３１３又は管理エンティティ３１９は、他の通信ネットワークのサブネットワークに対応する通信ネットワーク３０３のサブネットワーク３０７、３１１、３１５を通信デバイス３０１に割り当てることができる。他の通信ネットワークにおけるサブネットワークは、異なる識別子を有し得る。そこで、通信ネットワーク３０３におけるサブネットワークをホームネットワークにおける対応のサブネットワーク、すなわち、同じサービスを提供するホームネットワークにおけるサブネットワークに対応する通信端末３０１に割り当てる際に、例えば、ローミングが外部ネットワークにおいて促進され得る。この割当ては、例えばそれぞれの識別エンティティ３０９、３１３、３１７又は管理エンティティ３１９に記憶され得るルックアップテーブルを介して有効化され得る。一実施形態では、通信デバイスは、通信ネットワーク３０３においてローミングすることができ、そのホームネットワーク又は他の通信ネットワークにおいて、ここでは通信ネットワーク３０３に模擬されるスライスへの割当てを有する。
【００８７】
第１のサブネットワーク３０７を介した通信接続３０８は第１の識別エンティティ３０９によって確立可能となり、通信接続３１０は第２の識別エンティティ３１３によって第２のサブネットワーク３１１を介して確立可能となる。第ｎのサブネットワーク３１５を介した通信接続３１８は、第ｎの識別エンティティ３１７によって確立可能となる。代替として、これらの通信接続３０８、３１０、３１８は、通信端末３０１を用いても確立可能となる。
【００８８】
図４に、一例示の実施形態による、通信ネットワークを介して通信端末の通信接続を確立する方法４００の概略図を示す。
【００８９】
通信ネットワークは、図３に関連して上述した通信ネットワーク３０３に対応し得る。つまりは、通信ネットワーク３０３は、複数のサブネットワーク３０７、３１１、３１５を含み、第１のサブネットワーク３０７、第２のサブネットワーク３１１及び第ｎのサブネットワーク３１５を有する。通信デバイス３０１を識別する第１の識別エンティティ３０９は第１のサブネットワーク３０７に配置され、通信デバイス３０１を識別する第２の識別エンティティ３１３は第２のサブネットワーク３１１に配置され、通信デバイス３０１を識別する第ｎの識別エンティティ３１７は第ｎのサブネットワーク３１５に配置される。サブネットワーク識別子は、通信ネットワーク３０３の各サブネットワーク３０７、３１１、３１５に割り当てられる。管理エンティティ３１９は、通信ネットワーク３０３に配置され、サブネットワーク３０７、３１１、３１５のうちの１つへの通信端末３０１の割当て３２１を管理する。
【００９０】
方法４００は、第１のサブネットワーク３０７の第１の識別エンティティ３０９による通信端末３０１の識別３０２を受信するステップ４０１を含み、識別３０２は、例えば図３に関連する説明によって通信端末３０１を識別する。
【００９１】
方法４００は、通信端末３０１の識別３０２に基づいて第１の識別エンティティ３０９によって通信端末３０１を識別するステップ４０２をさらに含む。
【００９２】
方法４００は、通信端末３０１へのサブネットワーク識別子３０６の割当て３２１に基づいて、管理エンティティ３１９によって通信端末３０１にサブネットワークを割り当てるステップ４０３をさらに含む。
【００９３】
方法４００は、通信端末３０１の識別３０２に割り当てられたサブネットワーク識別子３０６が第１のサブネットワーク３０７のサブネットワーク識別子３１２に一致する場合に第１のサブネットワーク３０７を介して通信端末３０１の通信接続３０８を確立するステップ４０４、又は送信された識別３０２に割り当てられたサブネットワーク識別子３０６と第１のサブネットワーク３０７のサブネットワーク識別子３１２とが異なる場合に第２のサブネットワーク３１１を介して通信端末３０１の通信接続３１０を確立するステップも含む。
【００９４】
送信された識別３０２に割り当てられたサブネットワーク識別子３０６が第２のサブネットワークのサブネットワーク識別子３１４の場合、通信接続３１０は第２のサブネットワーク３１５を介して確立可能となる。
【００９５】
通信ネットワーク３０３は、第５世代（５Ｇ）又は更なる世代のネットワークであってもよく、サブネットワーク３０７、３１１、３１５は、図１及び図２に関連して上述したように、通信ネットワーク３０３のスライスであってもよい。
【００９６】
管理エンティティ３１９は、例えば図３に関連して上述したように、以下の割当て：サブネットワーク識別子３０６への、通信端末３０１の識別３０２、特にＩＭＳＩ若しくはＩＭＥＩ又はｅＩＤなど通信デバイス３０１のハードウェア識別子の割当て、及び／又は通信端末３０１への通信サービスの割当て、及び／又は通信端末３０１へのソフトフェアアプリケーションの割当て、及び／又は２つのサブネットワーク３０７、３１１の１つへの通信端末３０１のオペレーティングシステムの割当て、の少なくとも１つに基づいて、通信端末３０１へのサブネットワーク識別子３０６の割当て３２１を行うことができる。
【００９７】
通信端末３０１は、例えば図３に関連して上述したように、通信端末３０１に割り当てられたサブネットワーク３０７、３１１、３１５を示すサブネットワーク識別子３０６とともに、通信デバイス３０１の識別３０２を、第１の識別エンティティ３０９、第２の識別エンティティ３１３又は第ｎの識別エンティティ３１７に送信することができる。
【００９８】
例えば図３に関連して上述したように、第１の識別エンティティ３０９は、管理エンティティ３１９に通信デバイス３０１の識別３０２及び第１のサブネットワーク３０７のサブネットワーク識別子３１２を送信できる。
【００９９】
割り当てるステップ４０３において、管理エンティティ３１９は、第１の識別エンティティ３０９に通信デバイス３０１の識別３０２に割り当てられたサブネットワーク識別子３０６を送信することができる。通信端末３０１の識別３０２に割り当てられたサブネットワーク識別子３０６と第１のサブネットワーク３０７のサブネットワーク識別子３１２とが異なる場合に、第１の識別エンティティ３０９は、送信されたサブネットワーク識別子３０６を通信端末３０１に送信できる。あるいは、例えば図３に関連して上述したように、通信端末３０１の識別３０２に割り当てられたサブネットワーク識別子３０６と第１のサブネットワーク３０７のサブネットワーク識別子３１２とが異なる場合に、第１の識別エンティティ３０９は、送信されたサブネットワーク識別子３０６を第２の識別エンティティ３１３に送信できる。
【０１００】
例えば図３に関連して上述したように、第２のサブネットワーク３１１を介した通信接続３１０を確立するステップ４０４において、通信端末３０１は、第２の識別エンティティ３１３に識別３０２を送信できる。
【０１０１】
例えば図３に関連して上述したように、第２のサブネットワーク３１１を介した通信接続３１０を確立するステップ４０４において、第２の識別エンティティ３１３は、通信端末３０１の識別３０２に基づいて通信端末３０１を識別できる。
【０１０２】
例えば図３に関連して上述したように、通信端末３０１が識別された後、以下の更なるステップ：通信端末３０１へのサブネットワーク識別子の割当て３２１に基づいて管理エンティティによって通信端末３０１にサブネットワーク３０７、３１１、３１５を割り当てるステップ、及び通信端末３０１の識別３０２に割り当てられたサブネットワーク識別子３０６が第２のサブネットワーク３１１のサブネットワーク識別子３１４に一致する場合に、第２のサブネットワーク３１１を介して通信端末の通信接続３１０を確立するステップ、又は通信端末３０１の識別３０２に割り当てられたサブネットワーク識別子３０６と第２のサブネットワーク３１１のサブネットワーク識別子３１４とが異なる場合に、更なる通信ネットワーク３０３のサブネットワーク３１５を介して通信端末３０１の通信接続３１８を確立するステップ若しくは通信デバイス３０１を拒否するステップが実行され得る。
【０１０３】
例えば図３に関連して上述したように、それぞれの通信接続３０８、３１０、３１８を確立するステップ４０４において、通信端末３０１は、送信された識別３０２に割り当てられたサブネットワーク識別子３０６を、第１の識別エンティティ３０９、第２の識別エンティティ３１３又は第ｎの識別エンティティ３１７に送信できる。
【０１０４】
例えば図３に関連して上述したように、送信されたサブネットワーク識別子３０６が他の通信ネットワークのサブネットワークを示す場合、送信されたサブネットワーク識別子３０６に基づいて、それぞれの識別エンティティ３０９、３１３、３１７又は管理エンティティ３１９は、通信ネットワーク３０３のサブネットワーク３０７、３１１、３１５を通信デバイス３０１に割り当てることができる。
【０１０５】
例えば図３に関連して上述したように、それぞれの識別エンティティ３０９、３１３、３１７又は管理エンティティ３１９は、もう一方の通信ネットワークのサブネットワークに対応する通信ネットワーク３０３のサブネットワーク３０７、３１１、３１５を通信デバイス３０１に割り当てることができる。
【０１０６】
例えば図３に関連して上述したように、通信接続３０８は、第１の識別エンティティ３０９によって第１のサブネットワーク３０７を介して確立されることができ、また、第２のサブネットワーク３１１を介する通信接続３１０は第２の識別エンティティ３１３によって確立可能となる。
【０１０７】
図５に、一例示的実施形態による５Ｇネットワーク５００の例を用いる通信ネットワークにおける通信端末の登録処理の概略図を示す。５Ｇネットワーク５００は、ＵＥ５１１、第１のネットエンティティ５１２、各々に第２のネットワークエンティティが割り当てられる複数のスライス５０１、５０２、５０３、５０４及び第３のネットエンティティ５１３を備える。ＵＥ（ユーザ機器）は、図３及び図４において上述した通信端末３０１の例である。第１のネットワークエンティティ５１２は、図３において上述した第１の通信ノードに対応し得る。これは、例えば、ｅＮｏｄｅＢ又は基地局であればよい。スライス５０１、５０２、５０３、５０４は、図３及び図４において上述したサブネットワーク３０７、３１１、３１５又は図２において上述したネットワークスライス２１０ｂ、２１１ｂ、２１２ｂ若しくはこれらのネットワークスライスのエンティティ２１０ａ、２１１ａ、２１２ａに対応し得る。例示として、ここでは第１のスライス５０１をデフォルトのスライスとして説明する。スライス５０２、５０３、５０４のいずれか他のものも、当然にデフォルトのスライスとして指定され得る。第３のネットワークエンティティ５１３は、図３及び図４において上述したネットワークエンティティ３１９に対応し得る。それは、例えば、図１において上述した管理及び計測レベル１０６に配置され得る。第３のネットワークエンティティ５１３は、特にＬＴＥ技術用語によるＨＳＳのタスクも実行し得る。スライス５０１、５０２、５０３、５０４に割り当てられたそれぞれの第２のネットワークエンティティは、特にＬＴＥ技術用語によるＭＭＥのタスクも実行し得る。
【０１０８】
一実施形態において、５Ｇネットワーク５００の構造は、ＬＴＥネットワークの構造に類似する。ただし、ホームネットワークは、スライスといわれる複数のサブネットワーク５０１、５０２、５０３、５０４を有する。したがって、ＵＥは、（ＨＳＳに相当する第３のネットワークエンティティ５１３を介して）ホームネットワークだけでなくそれぞれのスライスにも割り当てられる。第２のネットワークエンティティは、ＬＴＥ技術用語に従ってＭＭＥと同様にして、同時に、その機能に応じるデフォルトのスライス５０１の部分となり得る。そして、サブネットワーク５０１、５０２、５０３、５０４は、ここで図５に示すように、ＬＴＥに従ってＨＳＳと同様にして第３のネットワークエンティティ５１３への接続を各々有し得る。
【０１０９】
以下に、５Ｇネットワーク５００の例示的な登録処理を説明する。
【０１１０】
ＵＥ５１１は、デフォルトのスライス５０１の第２のネットワークエンティティに第１のネットワークエンティティ５１２を介して接続する。デフォルトのスライス５０１の第２のネットワークエンティティは、ＩＭＳＩ又はそれに接続される一時的識別構成に基づいてＵＥ５１１を識別し、ネットワークに登録するＵＥ５１１の要求を第３のネットワークエンティティ５１３に転送する。
【０１１１】
まず、第３のネットワークエンティティ５１３が、認証のために、続いて暗号化及びメッセージの整合性の保護などのセキュリティ関連処理のために必要なパラメータを提供する。これらは、ランダム値ＲＡＮＤ、キーＫＡＳＭＥ、認証照合ＸＲＥＳの期待される結果、及び認証トークンＡＵＴＮである。これら４個のパラメータは、いわゆる認証ベクトルとして第３のネットワークエンティティ５１３からデフォルトのスライス５０１の第２のネットワークエンティティに送信される。ＲＡＮＤ及びＡＵＴＮは、デフォルトのスライス５０１の第２のネットワークエンティティによって第１のネットワークエンティティ５１２を介してＵＥ５１１に送信される。ＵＥ５１１は、ＵＩＣＣに記憶される秘密鍵から、ＡＵＴＮを用いてネットワークの認証性を確認する幾つかのパラメータ、例えばＫＡＳＭＥを導出し、特定のアルゴリズムを用いてＲＡＮＤ及びＫＡＳＭＥからからＲＥＳの値を算出することができる。そして、この値は、第１のネットワークエンティティ５１２を介して、デフォルトのスライス５０１の第２のネットワークエンティティに送信される。ＲＥＳとＸＲＥＳとが同じである場合、デフォルトのスライス５０１の第２のネットワークエンティティは、第３のネットワークエンティティ５１３に、ＵＥ５１１の認証が肯定的に結論付けられたことを後者に通知するためのメッセージを送信する。そして、第３のネットワークエンティティ５１３は、このＵＥ５１１に対して許可された接続のリスト、例えば、ＰＤＮ（パケットデータネットワーク）、ＱｏＳ（サービス品質）プロファイルを有する加入コンテキストをデフォルトのスライス５０１の第２のネットワークエンティティに送信する。
【０１１２】
そして、デフォルトのスライス５０１の第２のネットワークエンティティは、ＵＥ５１１から、例えばＳ−ＧＷを介して、例えばＰＤＮ−ＧＷへのデフォルトのベアラ又はキャリア（例えば、ＩＰ接続）を確立し、ＵＥ５１１に登録処理の成功を通知する。ここで、ＵＥ５１１は、通信ネットワークを介して通信を行うことができる。また、更なるベアラについてのＰＤＮ−ＧＷ若しくはＵＥ５１１からの接続要求又は既存のベアラの修正が、第３のネットワークエンティティ５１３によって受信されたデータに基づいてデフォルトのスライス５０１の第２のネットワークエンティティによって認証され得る。
【０１１３】
全てのサブネットワーク（スライス）５０１、５０２、５０３、５０４は、サブネットワーク構造（すなわち、何の機能が存在し、何のネットトポロジが規定されるか）に関して及び機能に関しての双方で予め定義される。
【０１１４】
ネットワークエンティティＩＩ（デフォルトのスライス５０１上）及びネットワークエンティティＩＩＩ５１３は、コントロールプレーンに割り当てられる。ネットワークエンティティＩ５１２は、コントロールプレーン及びユーザプレーンの両方に割り当てられ、例えば、ネットワークエンティティＩ５１２及びネットワークエンティティＩＩ（デフォルトのスライス５０１上）の間のシグナリングはコントロールプレーン（ＣＰ）で起こり得る一方で、ユーザデータはユーザプレーン（ＵＰ）上でネットワークエンティティＩ５１２とＳ−ＧＷ及びＰＤＮ−ＧＷとの間を通ることができる。サブネットワーク５０１、５０２、５０３、５０４は、ネットワークエンティティＩＩＩ５１３において論理的に集中する。ネットワークエンティティＩＩについては、複数の可能性がある。機能範囲がＬＴＥ技術用語によるＭＭＥに類似する場合には、図５に示すように、ネットワークエンティティＩＩはデフォルトのスライス５０１の一部となる。各場合において、以下の２段処理がある。
ａ）ＵＥ５１１が登録自体を試行し、上述したようにネットワークエンティティＩＩ及びＩＩＩ５１３によって完全に認証され、他のスライスに割り当てられるか又はデフォルトのスライス５０１に残される。このデフォルトのスライス５０１は、一構成では標準マルチメディアブロードバンドネットとなり得る。
ｂ）ＵＥ５１１が他のスライスに割り当てられる場合、ネットワークエンティティＩ５１２は割り当てられるスライスの（及びそこにおけるネットワークエンティティＩＩの）方向で登録処理を繰り返し、成功した場合にはＵＥ５１１はデフォルトのスライス５０１から登録解除する。
【０１１５】
シーケンスの観点では、これは、例えば、ＬＴＥ技術用語によるトラッキングエリアアップデートに対応し、すなわち、ＵＥ５１１がＭＭＥ／Ｓ−ＧＷの領域から他のＭＭＥ／Ｓ−ＧＷに入る場合に実行される方法に対応し得るが、これに対して、ネットワークエンティティＩ５１２（ネットワークのｅＮｏｄｅＢはＭＭＥにのみ接続される）はサブネットワーク識別子に基づいて他のネットワークエンティティＩＩを選択し得る。
【０１１６】
一実施形態では、ＵＥ５１１は、ａ）若しくはｂ）又はａ）及びｂ）において認証され得る。これは、例えば、上記トラッキングエリアアップデートと同様に構成され得る。
【０１１７】
一実施形態では、ネットワークエンティティＩＩは、ネットワークエンティティＩＩＩ５１３でスライスを決定するのに必要な機能のみを有する。これは、デフォルトのスライスの一部ではなく、常にステップｂ）となる。
【０１１８】
ネットワークエンティティＩＩＩ５１３は、例えばＩＭＳＩに基づいてＵＥ５１１を識別し、関連のスライス、例えばサブネットワークＩ５０１をＵＥ５１１に割り当てる。スライスの割当ては、ネットワークエンティティＩＩＩに記憶されたデータに基づいて、及びおそらくはＵＥ５１１を登録する際にネットワークＩＩに送信されるパラメータを含むこととともに行われる。これらは、ハードウェア識別子（例えばＩＭＥＩ）、オペレーティングシステム情報又はアプリケーションＩＤとなり得る。
【０１１９】
代替変形例において、ＵＥ５１１は、第２のステップｂ）において対応のサブネットワークの識別子を送信する。これは、ネットワークエンティティＩＩＩからネットワークエンティティＩＩを介して第１のステップａ）中に受信される識別子である。そして、ステップｂ）中に、ＵＥ５１１は、割当てスライスの方向において登録処理を繰り返す。すなわち、この代替例では、スライスは、ネットワークエンティティＩ５１２ではなく、ＵＥ５１１に集中する。
【０１２０】
この代替変形例において、ＵＥ５１１は、それ自体のＩＤ（例えば、ＩＭＳＩ）ではなく、各接続を確立する間にスライスＩＤとともにそれ自体のＩＤを与え得る。これは常にネットワークエンティティＩＩの正しい選択をもたらし、ネットワークエンティティＩ５１２はＵＥ５１１のいずれのステータスも保存する必要はなく、ＵＥ５１１は複数のスライスの一部ともなり得る。これはまた、ネットワークエンティティＩ５１２に変化がある場合に手順を簡素化する。
【０１２１】
他の代替変形例では、ＵＥ５１１は、開始からのサブネットワーク識別子を送信する。サブネットワークは、例えばＳ−ＧＷ（アナログ）、ＰＤＮ−ＧＷ（アナログ）などを含み得る。これらのネットワークは、ＵＥ５１１に対してパラメータ化される。これは、例えば、新たなベアラが確立される場合に、必要に応じてネットワークエンティティＩＩを介して行われる。
【０１２２】
スライスの割当て及び後者における登録が実行された後、登録のための第１の接点として作用してきたネットワークエンティティＩＩは、もはや信号化フローに含まれない（ＵＥ５１１がデフォルトのスライス５０１に残り、ネットワークエンティティＩＩがデフォルトのスライス５０１の一部であることを除く）。
【０１２３】
パラメータ化の後に、ＵＥ５１１は、例えばインターネットにおいてサブネットワークＩ５０１を介して通信することができ、又はＩＭＳに登録して電気通信サービス（例えば電話）を使用することができる。
【０１２４】
サブネットワークＩ〜ｎ５０１、５０２、５０３、５０４は、相互に分離される。
【０１２５】
上記のコンセプトは、外部ネットワークにおける登録にも同様に当てはまる。ここでも同様に、ネットワークエンティティＩＩＩは、サブネットワーク及びパラメータを選択する。外部ネットワークにおいて、ネットワークエンティティＩＩは、訪問先ネットワークにおいて（例えば、ルックアップテーブルを用いて）ホームサブネットワークに対応する外部ネットの予め規定されたサブネットを選択することになる。
【０１２６】
発明の一態様はまた、デジタルコンピュータの内部メモリに直接読み込まれ得るコンピュータプログラム製品を含み、その製品がコンピュータで稼働する場合に図４において説明した方法４００又は図３及び図５において説明した処理を実行するのに使用され得るソフトウェアコード部分を含み得る。コンピュータプログラム製品は、コンピュータの非一時的媒体に保存され、コンピュータに方法４００を実行させ又は図１〜５において説明した通信ネットワークのネットワーク構成要素を実行若しくは制御させるコンピュータ可読プログラム手段を含み得る。
【０１２７】
コンピュータは、ＰＣ、例えば、コンピュータネットワークのＰＣとなり得る。コンピュータは、チップ、ＡＳＩＣ、マイクロプロセッサ又は信号プロセッサとして実施可能であり、コンピュータネットワークに、例えば図１〜５において説明したような通信ネットワークに割り当てられ得る。
【０１２８】
ここに例として記載した種々の実施形態の構成は、特に断りがない限り、相互に組み合わされてもよいことは言うまでもない。説明及び図面に示すように、接続されているものとして説明された個々の要素は、必ずしも相互に直接接続されていなくてもよく、接続された要素間に介在要素が設けられてもよい。またさらに、発明の実施形態は個々の回路、部分的に集積された回路若しくは完全に集積された回路又はプログラミング手段において実施されてもよいことは言うまでもない。用語「例えば」は、最良又は最適のものではなく、単に例示として理解されるべきである。特定の実施形態をここに説明及び記載したが、本発明のコンセプトから逸脱することなく、図示及び説明した実施形態の代わりに多数の代替及び／又は均等の実施例が実現され得ることは、当業者には明らかである。
【符号の説明】
【０１２９】
１００：５Ｇシステムアーキテクチャ
１０１：アクセスデバイス、通信端末、ＵＥ
１０２：アクセス技術
１０３：アプリケーションレイヤ
１０４：活性化レイヤ
１０５：インフラ及びリソースレイヤ
１０６：管理及び計測レイヤ
２００：複数のスライスを有する５Ｇ通信ネットワーク
２１０ａ：第１のスライスエンティティ
２１０ｂ：第１のネットワークスライス
２１１ａ：第２のスライスエンティティ
２１１ｂ：第２のネットワークスライス
２１２ａ：第３のスライスエンティティ
２１２ｂ：第３のネットワークスライス
２１３：スライス組成
２２１：抽象化オブジェクト
２２２：仮想ネットワーク機能
２２３：合成オブジェクト
２２４：統合オブジェクト
２２５：オブジェクトライブラリ
２３１：アクセスノード
２３２：アクセスノード
２３３：アクセスノード
２３４：仮想ネットワークノード
２３５：仮想ネットワークノード
２３６：仮想ネットワークノード
２３７：仮想ネットワークノード
２３８：コンピュータノード
２３９：コンピュータノード
２４０：コンピュータノード
２５１：インフラサービス
３００：通信システム
３０１：通信端末、例えば、ＵＥ
３０２：通信端末の識別
３０３：通信ネットワーク
３０４：第１のサブネットワークと管理エンティティの間の接続
３０５：通信インターフェース
３０６：通信端末のサブネットワーク識別子
３０７：第１のサブネットワーク
３０８：第１のサブネットワークを介した接続確立
３０９：第１の識別エンティティ
３１０：第２のサブネットワークを介した接続確立
３１１：第２のサブネットワーク
３１２：第１のサブネットワーク識別子
３１３：第２の識別エンティティ
３１４：第２のサブネットワーク識別子
３１５：第ｎのサブネットワーク
３１６：第ｎのサブネットワーク識別子
３１７：第ｎの識別エンティティ
３１８：第ｎのサブネットワークを介した接続確立
３１９：管理エンティティ
３２１：サブネットワーク識別子への通信端末の割当て
４００：通信接続を確立する方法
４０１：第１のステップ：受信する
４０２：第２のステップ：識別する
４０３：第３のステップ：割り当てる
４０４：第４のステップ：確立する
５００：５Ｇ通信ネットワーク
５０１：ネットワークエンティティＩＩ又は第２のネットワークエンティティでのデフォルトのスライス
５０２：スライス２
５０３：スライス３
５０４：スライスｎ
５１１：ＵＥ又は通信端末
５１２：第１のネットワークエンティティ又はネットワークエンティティＩ
５１３：第３のネットワークエンティティ又はネットワークエンティティＩＩＩ
【図１】
2019500819.tif 000003
【図２】
2019500819.tif 000004
【図３】
2019500819.tif 000005
【図４】
2019500819.tif 000006
【図５】
2019500819.tif 000007
【国際調査報告】
2019500819.tif 000008
2019500819.tif 000009
2019500819.tif 000010
2019500819.tif 000011
2019500819.tif 000012
2019500819.tif 000013